(57)【特許請求の範囲】
【請求項１】
カタログの各頁を示す頁画像にレイアウトされた各写真部に対応する個別画像の高解像度画像データを伝送媒体を介して提供するカタログ画像データ提供システムであって、頁画像の画像データと各個別画像の画像データとしての高解像度画像データと低解像度画像データとを格納している記憶手段と、記憶手段から所定の頁画像の画像データと同頁画像に対応する複数の低解像度画像データとを抽出する抽出手段と、抽出された画像データに基づいて顧客に対し頁画像と複数の低解像度画像データの個別画像とを並べて表示させ所望する個別画像の選択を促す選択促進手段と、選択された個別画像に対応する高解像度画像データを検索する検索手段と、検索された高解像度画像データを送信する送信手段と、を設けたことを特徴とするカタログ画像データ提供システム。
【請求項２】
カタログの各頁を示す頁画像にレイアウトされた各写真部に対応する個別画像の高解像度画像データを伝送媒体を介して提供するカタログ画像データ提供方法であって、画像データを格納する記憶手段と、記憶手段から画像データを抽出する抽出手段と、顧客に対して所望する個別画像の選択を促す選択促進手段と、高解像度画像データを検索する検索手段と、高解像度画像データを送信する送信手段と、を備えており、前記記憶手段には頁画像の画像データと各個別画像の画像データとしての高解像度画像データと低解像度画像データとが格納され、この記憶手段から前記抽出手段が所定の頁画像の画像データと同頁画像に対応する複数の低解像度画像データとを抽出し、抽出された画像データに基づいて顧客に対し前記選択促進手段が頁画像と複数の低解像度画像データの個別画像とを並べて表示させ所望する個別画像の選択を促し、選択された個別画像に対応する高解像度画像データを前記検索手段が検索し、検索された高解像度画像データを前記送信手段が送信するカタログ画像データ提供方法。
【発明の詳細な説明】
【０００１】
【発明の属する技術分野】
本発明は、頁画像と頁内の各写真部に対応する個別画像を伝送媒体を介して提供するカタログ画像データ提供システム及びカタログ画像データ提供方法に関するものである。
【０００２】
【従来の技術】
従来のカタログ画像データ提供システムでは、画面上に顧客が所望する商品画像を表示し、顧客に商品内容の理解を促すと共に、画面上に表示した商品画像に対応する画像データを顧客に対して送信する送信手段を備えたものが存在していた。
【０００３】
これにより、顧客は興味のある商品を画面上の商品画像により確認することができた。又、顧客は送信された画像データをダウンロードにより顧客側の端末に取り込み、取り込んだ画像データに基づいてオリジナルのカタログ等を作成することもできた。
【０００４】
しかしながら、上記従来の技術においては、１つの頁の中に多数の写真部を備えたカタログなどの場合、各写真部に対応した画像データをレイアウトして頁画像を構成する必要が生じ、その結果頁画像の作成が複雑となってしまうという問題を抱えることとなる。
【０００５】
そこで、この問題を解決する為に、頁全体を表示する頁画像を１つの画像データから構成してなるものが考案された。
【０００６】
これにより、頁画像を簡単に作成することができるようになった。
【０００７】
又、上記問題を解決する為に、表示画面を分割し、一方に頁画像の代用物としてシリーズ名を文字情報で表示し、他方に商品画像を表示するものが考案された。
【０００８】
この場合、見出し分類となるシリーズ名の文字情報で確認を行いながら商品画像を閲覧することができた。
【０００９】
【発明が解決しようとする課題】
しかしながら、上記従来の技術によると、確かに頁画像の作成は簡単になってしまうものの、顧客が特定の写真部についてのダウンロードを意図して画像データの送信要求を行った場合、頁全体が丸ごと送信されてしまい、大変使いにくいものとなってしまうという問題があった。
【００１０】
又、見出し分類となるシリーズ名の文字情報で確認を行いながら商品画像を閲覧するものの場合、知名度の低いシリーズ名を冠している場合は顧客にとって分かり難いものとなってしまうという問題があった。
【００１１】
本発明は、上記事由に鑑みてなしたもので、その目的とするところは顧客に対し分かり易くて便利なカタログ画像データ提供システム及びカタログ画像データ提供方法を提供することにある。
【００１２】
【課題を解決するための手段】
上記目的を達成するために、本発明のカタログ画像データ提供システムにあっては、請求項１に記載したように、カタログの各頁を示す頁画像にレイアウトされた各写真部に対応する個別画像の高解像度画像データを伝送媒体を介して提供するカタログ画像データ提供システムであって、頁画像の画像データと各個別画像の画像データとしての高解像度画像データと低解像度画像データとを格納している記憶手段と、記憶手段から所定の頁画像の画像データと同頁画像に対応する複数の低解像度画像データとを抽出する抽出手段と、抽出された画像データに基づいて顧客に対し頁画像と複数の低解像度画像データの個別画像とを並べて表示させ所望する個別画像の選択を促す選択促進手段と、選択された個別画像に対応する高解像度画像データを検索する検索手段と、検索された高解像度画像データを送信する送信手段と、を設けている。
【００１３】
これにより、顧客に対して分かり易くて便利なカタログ画像データ提供システムとすることができる。即ち、頁画像と低解像度画像データからなる選択用の個別画像とが並んで表示されるので、画面を切り替えることなく２つの画像を同時に見ることができ、その為、頁画像と個別画像を簡単に対比することができ、所望する個別画像を容易に見つけることができる。
【００１４】
又、どちらの画像もビジュアルによる表示の為、言語体系が異なる顧客に対しても充分な情報提供を行うことができる。
【００１５】
又、高解像度画像データが送信されるので、このデータをダウンロードして顧客側の端末で保存し、高解像度画像データによる個別画像を使ったオリジナルカタログの頁を簡単に作ることができる。頁画像から頁全体を丸ごとダウンロードするよりも各個別画像をダウンロードしてオリジナルカタログを作る方が、自由度が高い。
【００１６】
又、送信可能な高解像度画像データからなる個別画像を頁画像の中に取り込んで頁画像を構成しようとするよりも簡単に頁画像を構成することができる。即ち、一般のカタログにおいては、頁の中に様々な大きさの写真部が様々なレイアウトで盛り込まれている。この様な複雑な構成となる頁の中に送信可能な個別画像を１枚づつ貼っていくのは大変困難な作業となる。本発明においては、頁画像を１つの画像データで構成し、選択送信用の個別画像は別に設けて並べて表示することで頁画像を作る手間を大幅に軽減させることに成功している。
【００１７】
又、簡単な作業で各画像の元になる画像データを作ることができるので、各画像を簡単に更新できる。簡単に画像データを作れるということは、即ち簡単に各画像を更新できるということにつながる。簡単に各画像を更新できれば、より早く最新の画像を頒布することができる。カタログは鮮度が命であり、最新情報への素早い更新は顧客に対して有益なものとなる。
【００１８】
又、本発明のカタログ画像データ提供システムにあっては、カタログの各頁を示す頁画像にレイアウトされた各写真部に対応する個別画像の高解像度画像データを伝送媒体を介して提供するカタログ画像データ提供システムであって、各個別画像の画像データとして高解像度画像データと低解像度画像データとを有し、顧客に対して頁画像と複数の低解像度画像データの個別画像とを並べて表示させ、所望する個別画像の選択を促し、選択された個別画像に対応する高解像度画像データを送信するようにしても良い。
【００１９】
この場合、請求項１に対応した作用効果と同様の作用効果を生むことができる。
【００２０】
又、上記目的を達成するために、本発明のカタログ画像データ提供方法にあっては、請求項２に記載したように、カタログの各頁を示す頁画像にレイアウトされた各写真部に対応する個別画像の高解像度画像データを伝送媒体を介して提供するカタログ画像データ提供方法であって、画像データを格納する記憶手段と、記憶手段から画像データを抽出する抽出手段と、顧客に対して所望する個別画像の選択を促す選択促進手段と、高解像度画像データを検索する検索手段と、高解像度画像データを送信する送信手段と、を備えており、前記記憶手段には頁画像の画像データと各個別画像の画像データとしての高解像度画像データと低解像度画像データとが格納され、この記憶手段から前記抽出手段が所定の頁画像の画像データと同頁画像に対応する複数の低解像度画像データとを抽出し、抽出された画像データに基づいて顧客に対し前記選択促進手段が頁画像と複数の低解像度画像データの個別画像とを並べて表示させ所望する個別画像の選択を促し、選択された個別画像に対応する高解像度画像データを前記検索手段が検索し、検索された高解像度画像データを前記送信手段が送信する。
【００２１】
これにより、請求項１に対応した作用効果と同様の作用効果を生むことができる。
【００２２】
更には、初めに低解像度画像データからなる個別画像を表示するので表示の為の初期伝送量を少なくでき、初期伝送を高速で伝送することができる。次いで、初期伝送完了後に必要なものだけ高解像度画像データを送信するので伝送効率が良い。初めから高解像度画像データからなる個別画像を表示するよりも伝送効率が良い。初期伝送が遅いと画像データの入手が面倒になり、顧客が離れてしまう。本発明においては、顧客に面倒な思いをさせない分、より多くの顧客に画像データを提供することができる。
【００２３】
又、本発明のカタログ画像データ提供方法にあっては、頁画像内の写真部と其れに対応する個別画像に、各々同一の識別記号を付しても良い。
【００２４】
この場合、同一の識別記号が付されているので、頁画像と個別画像の対比が容易となる。頁画像の中に似通った写真部が存在していても、識別記号により確実に対比させることができる。
【００２５】
又、本発明のカタログ画像データ提供方法にあっては、顧客に顧客情報の入力を促し、入力された顧客情報に顧客への送信履歴を付随させて顧客別送信情報を作成し、個別画像更新の際、顧客別送信情報から更新前の高解像度画像データを送信した該当顧客を抽出し、該当顧客に個別画像の更新通知を行うようにしても良い。
【００２６】
この場合、顧客が更新前の古い個別画像を間違って使うのを未然に防ぐことができる。例えば顧客が仲介業者である場合、一度ダウンロードされた高解像度画像データが何も通知されなければ、古い個別画像がずっと販売活動に使用され、エンドユーザーが世の中に存在しない商品をあると思い込み、その結果トラブルを引起してしまう可能性がある。本発明においては、このようなトラブルを未然に防止することができる。
【００２７】
【発明の実施の形態】
図１は、本発明の請求項１乃至５に対応する一実施の形態のブロック図を示す。図２、３は該実施の形態のフローチャートを示す。図４乃至８は該実施の形態で表示される画面を示す。
【００２８】
この実施の形態のカタログ画像データ提供システムにおいては、請求項１に記載したように、カタログの各頁を示す頁画像２にレイアウトされた各写真部１０に対応する個別画像３の高解像度画像データを伝送媒体を介して提供するカタログ画像データ提供システムであって、頁画像１０の画像データと各個別画像３の画像データとしての高解像度画像データと低解像度画像データとを格納している記憶手段２０と、記憶手段２０から所定の頁画像１０の画像データと同頁画像１０に対応する複数の低解像度画像データとを抽出する抽出手段２１と、抽出された画像データに基づいて顧客に対し頁画像１０と複数の低解像度画像データの個別画像３とを並べて表示させ所望する個別画像３の選択を促す選択促進手段２２と、選択された個別画像３に対応する高解像度画像データを検索する検索手段２３と、検索された高解像度画像データを送信する送信手段２４と、を設けている。
【００２９】
又、該実施の形態のカタログ画像データ提供システムにおいては、カタログの各頁を示す頁画像２にレイアウトされた各写真部１０に対応する個別画像３の高解像度画像データを伝送媒体を介して提供するカタログ画像データ提供システムであって、各個別画像３の画像データとして高解像度画像データと低解像度画像データとを有し、顧客に対して頁画像２と複数の低解像度画像データの個別画像３とを並べて表示させ、所望する個別画像３の選択を促し、選択された個別画像３に対応する高解像度画像データを送信するようにしてもいる。
【００３０】
又、該実施の形態のカタログ画像データ提供方法においては、カタログの各頁を示す頁画像２にレイアウトされた各写真部１０に対応する個別画像３の高解像度画像データを伝送媒体を介して提供するカタログ画像データ提供方法であって、各個別画像３は画像データとして高解像度画像データと低解像度画像データとを有し、顧客に対して頁画像２と複数の低解像度画像データの個別画像３とを並べて表示させ、所望する個別画像３の選択を促し、選択された個別画像３に対応する高解像度画像データを送信する。
【００３１】
又、該実施の形態のカタログ画像データ提供方法においては、頁画像２内の写真部１０と其れに対応する個別画像３に、各々同一の識別記号１１、１２を付してもいる。
【００３２】
又、該実施の形態のカタログ画像データ提供方法においては、顧客に顧客情報の入力を促し、入力された顧客情報に顧客への送信履歴を付随させて顧客別送信情報を作成し、個別画像３更新の際、顧客別送信情報から更新前の高解像度画像データを送信した該当顧客を抽出し、該当顧客に個別画像３の更新通知を行うようにしてもいる。
【００３３】
図１に示すように、本実施の形態は、記憶手段２０と、抽出手段２１と、選択促進手段２２と、検索手段２３と、送信手段２４とを備えている。
【００３４】
図２に示すように、顧客が所望する頁の識別番号を入力する入力段階３０と、各個別画像３の画像データとして高解像度画像データと低解像度画像データとが記憶された記憶手段２０から該当する画像データを抽出する抽出段階２１ａと、顧客に対して頁画像２と頁画像２内の写真部１０に付された識別番号１１と同一の識別番号１２を備えた複数の低解像度画像データの個別画像３とを並べて表示させ所望する個別画像３の選択を促す選択促進段階２２ａと、選択された個別画像３に対応する高解像度画像データを検索する検索段階２３ａと、検索された高解像度画像データを送信する送信段階２４ａと、を備えてなる。
【００３５】
又、図３に示すように、顧客に顧客情報の入力を促す入力促進段階２５と、入力された顧客情報に顧客への送信履歴を付随させて顧客別送信情報を作成する顧客情報作成段階２６と、個別画像３更新の際、顧客別送信情報から更新前の高解像度画像データを送信した該当顧客を抽出する該当顧客抽出段階２７と、該当顧客に個別画像３の更新通知を行う通知段階２８とを備えてもいる。
【００３６】
図４から図７は全体としては図２で示した入力段階３０における画面表示を示している。入力段階３０の途中に図５で示したように顧客に顧客情報の入力を促す入力促進段階２５を挟みこんでいる。このようにすることで、顧客が顧客情報の入力を容易に行えるようにしている。
【００３７】
図４は顧客に対し入場を促している。入場用アイコン１４を点滅させることで顧客に興味を抱かせ、顧客を入場させやすくしている。
【００３８】
図５は、顧客に顧客情報の入力を促している。本実施の形態においては、必須入力欄１５と、任意入力欄１６を交互にちりばめることで、顧客が容易に入力できるようにしている。全ての欄に入力が必要となるとたいへんなので、ここでは、一部を任意入力とし、顧客の負担軽減をはかっている。
【００３９】
図６は責任の所在を明らかにして悪戯を未然に防止している。覚書１７に対し承認させることで顧客に責任感を植え付けている。
【００４０】
図７はカタログの種別を選ばせている。左側にカタログ種別選択欄１８、右側に必要頁数入力欄１９を設けている。これにより、カタログ種別と必要頁数をこの画面だけで入力でき、顧客の使い勝手が向上する。
【００４１】
図８は図２で示した顧客に対して頁画像２と頁画像２内の写真部１０に付された識別番号１１と同一の識別番号１２を備えた複数の低解像度画像データの個別画像３とを並べて表示させ所望する個別画像３の選択を促す選択促進段階２２ａを示している。
【００４２】
画面を２つに分割して頁画像２を表示する頁画面を左側に配し、個別画像３を表示する選択画面を右側に配する。
【００４３】
頁画面には頁画像２の一部が表示されている。又、選択画面についても個別画像３の一部についてのみ表示されている。
【００４４】
これにより、各画像を見やすい大きさとすることができる。モニター画面の大きさは限られており、その中で各画像を無理に縮小してしまうと小さな画面表示となり使いにくい。本発明は各画像の一部についてのみ表示することで、見やすい大きさとすることができ、顧客に対して正確に情報を伝えることができる。
【００４５】
又、写真部１０は識別記号１１を左上隅部に配してなる。この識別記号１１は右側の選択画面に表示している個別画像３の識別記号１２と同じものとしている。本実施の形態の場合においては、識別番号１１、１２共々、世界的に使われている算用数字を用いており、世界中の人が簡単に写真部１０と個別画像３を対応させることができるように工夫している。
【００４６】
識別記号１１を左上隅部に配しているので、頁画像２が全て頁画面に表示されなくても識別記号１１を読み取ることができる。頁画像２の初期表示を頁画像２の左上隅部寄りに設定しておけば、写真部１０の中で初めに表示されるのも左上隅部になる。このように頁画像２の初期表示で識別記号１１が表示されるようにすることで使い勝手を向上させている。
【００４７】
又、頁画像２は１つの画像として処理されるものとし、写真部１０は独立した画像ではなく１つの頁画像２の中に存在する絵に過ぎない。
【００４８】
又、頁画面は選択画面よりやや大きいサイズとしている。これにより、画面の表示効率が上がる。頁画像２は個別画像３よりも大きく表示される写真部１０を有している。これに対応して頁画面を大きくすることで画面を有効に活用できる。
【００４９】
又、選択画面の上部にはカタログ種別と頁数を表示する表示部１３を設けている。この表示部１３に表示されたカタログ種別の内、所望するカタログ種別を選択し、マウスでクリックすることにより他のカタログに移ることができる。
【００５０】
又、個別画像３の選択はマウスで所望の個別画像３をクリックして行う。
【００５１】
図９は、図１を詳しく説明したブロック図である。以下、図９と対応する図１の構成を括弧内に表記する。
【００５２】
サーバー５０（図１：演算部と記憶手段２０）は制御手段５１（図１：抽出手段２１と検索手段２３）を介して更新通知手段５２、顧客別履歴情報ファイル５３、頁画像ファイル５４（図１：記憶手段２０）、疎画像ファイル５５（図１：記憶手段２０）、密画像ファイル５６（図１：記憶手段２０）、ダウンロード配信手段５７（図１：送信手段２４）を関連付けている。顧客は表示手段５８（図１：顧客の表示手段）と入力手段５９とダウンロード配信画像ファイル６０（図１：顧客のデータ保存手段）を有し各々サーバー５０の制御手段５１と結ばれている。
【００５３】
制御手段５１は入力手段５９からの入力情報に応じて、頁画像ファイル５４、疎画像ファイル５５、密画像ファイル５６から必要な情報を表示手段５８に表示させる。
【００５４】
ここでいう頁画像は請求項１でいう頁画像の画像データを示す。又、疎画像は同様に低解像度画像データを示す。又、密画像は高解像度画像データを示す。
【００５５】
又、頁画像ファイル５４、疎画像ファイル５５、密画像ファイル５６が更新された際には顧客別履歴情報ファイル５３内の情報に照らし合わせて更新通知が必要な顧客を抽出し、更新通知手段５２を使って顧客の表示手段５８に更新通知を表示する。
【００５６】
又、頁画像ファイル５４、疎画像ファイル５５、密画像ファイル５６のダウンロード要求が制御手段５１に入力された際には、制御手段５１はダウンロード配信手段５７を使って顧客のダウンロード配信画像ファイル６０へダウンロード配信を行う。
【００５７】
図１０は図２、３の詳しいフローチャートを示し、図５、６、７、８の各段階を示す。以下、図１０に対応する図２、３の構成を括弧内に表示する。前半の段階においては図３に対応し、中盤は図２に対応し、後半は再び図３に対応する。このようにこのフローチャートは、一連の流れの中で２つの仕事を同時にこなしている。
【００５８】
顧客情報入力画面表示３１は、図５の内容を画面表示してなる。顧客情報入力３２（図３：入力促進段階２５）は図５の空欄に顧客情報が入力されることを示す。覚書承認画面表示３３は、図６の内容を画面表示してなる。覚書承認画面表示と同時に入力された顧客情報を顧客別履歴情報に変換して（図３：顧客情報作成段階２６）、顧客別履歴情報ファイル（図３：データベース）に格納する。承認ＹＥＳは、覚書承認画面中に設けた承認用のアイコンがクリックされることを示す。承認ＮＯは、覚書承認画面中に設けたキャンセル用のアイコンがクリックされることを示す。この場合、この流れは終了する。
【００５９】
次に、カタログ種別と必要頁数の入力画面表示３４（図２：入力段階３０）は図７の内容を画面表示してなる。該当頁の疎画像表示３５と該当頁の頁画像表示３６は同時に処理され（図２：抽出段階２１ａ）、図８に示す内容を画面表示してなる（図２：選択促進段階２２ａ）。画像の選択３７は、図８に示す選択画面に表示された疎画像（低解像度画像データの個別画像）を選択させることを示す。疎画像に対応した密画像の表示３８は、画面に密画像（高解像度画像データの個別画像）を表示することを示す。ダウンロード要求入力３９は、密画像（高解像度画像データ）のダウンロードが要求されることを示す。該当画像をダウンロード配信４０（図２：送信段階２４ａ）は、密画像（高解像度画像データ）をダウンロード配信することを示す。
【００６０】
次に、顧客別履歴情報ファイルにダウンロード内容を格納４１（図３：顧客情報作成段階２６）は、前段階で入力された顧客別履歴情報を読み出し、顧客のダウンロード履歴を付随させて新たに顧客別履歴情報を作成し、顧客別更新履歴情報ファイル（データベース）に新たに作成した顧客別履歴情報を更新格納する。
【００６１】
図１１は、カタログ情報の更新通知のフローチャートを示す。このものは図３にのみ対応してなる。又、括弧内に其対応を示す。
【００６２】
カタログ情報更新４２は、頁画像、若しくは個別画像、若しくは頁画像と個別画像の両方の更新を示す。更新通知が必要な顧客の抽出４３（図３：該当顧客抽出段階２７）は、更新前のカタログの情報をダウンロードしたことのある顧客を、顧客別履歴情報ファイル（図３：データベース）の中から該当する顧客を抽出することを示す。更新通知４４（図３：通知段階２８）は、該当する顧客に、カタログの情報が更新されたことを通知することを示す。
【００６３】
したがって、以上説明したカタログ画像データ提供システムにおいては、顧客に対して分かり易くて便利なものとすることができる。即ち、頁画像２と低解像度画像データからなる選択用の個別画像３とが並んで表示されるので、画面を切り替えることなく２つの画像を同時に見ることができ、その為、頁画像２と個別画像３を簡単に対比することができ、所望する個別画像３を容易に見つけることができる。
【００６４】
又、どちらの画像もビジュアルによる表示の為、言語体系が異なる顧客に対しても充分な情報提供を行うことができる。
【００６５】
又、高解像度画像データが送信されるので、このデータをダウンロードして顧客側の端末で保存し、高解像度画像データによる個別画像３を使ったオリジナルカタログの頁を簡単に作ることができる。頁画像２から頁全体を丸ごとダウンロードするよりも各個別画像３をダウンロードしてオリジナルカタログを作る方が、自由度が高い。
【００６６】
又、送信可能な高解像度画像データからなる個別画像３を頁画像２の中に取り込んで頁画像２を構成しようとするよりも簡単に頁画像２を構成することができる。即ち、一般のカタログにおいては、頁の中に様々な大きさの写真部１０が様々なレイアウトで盛り込まれている。この様な複雑な構成となる頁の中に送信可能な個別画像３を１枚づつ貼っていくのは大変困難な作業となる。本発明においては、頁画像２を１つの画像データで構成し、選択送信用の個別画像３は別に設けて並べて表示することで頁画像２を作る手間を大幅に軽減させることに成功している。
【００６７】
又、簡単な作業で各画像の元になる画像データを作ることができるので、各画像を簡単に更新できる。簡単に画像データを作れるということは、即ち簡単に各画像を更新できるということにつながる。簡単に各画像を更新できれば、より早く最新の画像を頒布することができる。カタログは鮮度が命であり、最新情報への素早い更新は顧客に対して有益なものとなる。
【００６８】
したがって、以上説明したカタログ画像データ提供方法においては、請求項１に係る作用効果の他に、初めに低解像度画像データからなる個別画像３を表示するので表示の為の初期伝送量を少なくでき、初期伝送を高速で伝送することができる。次いで、初期伝送完了後に必要なものだけ高解像度画像データを送信するので伝送効率が良い。初めから高解像度画像データからなる個別画像を表示するよりも伝送効率が良い。初期伝送が遅いと画像データの入手が面倒になり、顧客が離れてしまう。本発明においては、顧客に面倒な思いをさせない分、より多くの顧客に画像データを提供することができる。
【００６９】
又、同一の識別記号１１、１２が付されているので、頁画像２と個別画像３の対比が容易となる。頁画像２の中に似通った写真部１０が存在していても、識別記号１１、１２により確実に対比させることができる。
【００７０】
又、顧客が更新前の古い個別画像３を間違って使うのを未然に防ぐことができる。例えば顧客が仲介業者である場合、一度ダウンロードされた高解像度画像データが何も通知されなければ、古い個別画像３がずっと販売活動に使用され、エンドユーザーが世の中に存在しない商品をあると思い込み、その結果トラブルを引起してしまう可能性がある。本発明においては、このようなトラブルを未然に防止することができる。
【００７１】
【発明の効果】
上述の如く、本発明によれば、頁画像と低解像度画像データからなる選択用の個別画像とが並んで表示されるので、画面を切り替えることなく２つの画像を同時に見ることができ、その為、頁画像と個別画像を簡単に対比することができ、所望する個別画像を容易に見つけることができる。
【００７２】
そして、本発明によれば、顧客に対して分かり易くて便利なカタログ画像データ提供システムとすることができる。
【００７３】
そして、本発明によれば、初めに低解像度画像データからなる個別画像を表示するので表示の為の初期伝送量を少なくでき、初期伝送を高速で伝送することができる。
【図面の簡単な説明】
【図１】本発明の一実施の形態であるカタログ画像データ提供システム及びカタログ画像データ提供方法についてのブロック図を示す。
【図２】該カタログ画像データ提供システム及びカタログ画像データ提供方法についてのフローチャートを示す。
【図３】該カタログ画像データ提供システム及びカタログ画像データ提供方法についてのフローチャートを示す。
【図４】該カタログ画像データ提供システム及びカタログ画像データ提供方法の表示画面を示す説明図である。
【図５】該カタログ画像データ提供システム及びカタログ画像データ提供方法の表示画面を示す説明図である。
【図６】該カタログ画像データ提供システム及びカタログ画像データ提供方法の表示画面を示す説明図である。
【図７】該カタログ画像データ提供システム及びカタログ画像データ提供方法の表示画面を示す説明図である。
【図８】該カタログ画像データ提供システム及びカタログ画像データ提供方法の表示画面を示す説明図である。
【図９】本発明の一実施の形態であるカタログ画像データ提供システム及びカタログ画像データ提供方法についての詳しいブロック図を示す。
【図１０】該カタログ画像データ提供システム及びカタログ画像データ提供方法についての詳しいフローチャートを示す。
【図１１】該カタログ画像データ提供システム及びカタログ画像データ提供方法についての詳しいフローチャートを示す。
【符号の説明】
２    頁画像
３    個別画像
１０  写真部
１１  識別記号
１２  識別記号
２０  記憶手段
２１  抽出手段
２２  選択促進手段
２３  検索手段
２４  送信手段
【図１】
0003596454.tif 000002
【図２】
0003596454.tif 000003
【図３】
0003596454.tif 000004
【図４】
0003596454.tif 000005
【図５】
0003596454.tif 000006
【図６】
0003596454.tif 000007
【図７】
0003596454.tif 000008
【図８】
0003596454.tif 000009
【図９】
0003596454.tif 000010
【図１０】
0003596454.tif 000011
【図１１】
0003596454.tif 000012